(57)【要約】【課題】施術を行う人がその手に装着して、施術を受ける人の施術箇所（顔、頭、手、腕、足、首、背中、腰など）に接触させながらスライド移動、等させることで行う施術を、施術箇所でスライド移動、等が行われることによる物理的刺激と、同時的に印加される電気的刺激との相乗効果によって効果的に実施できる電気施術用手袋。【解決手段】施術を行う者の手に装着される絶縁性薄膜体からなる絶縁性手袋部と、前記絶縁性手袋部の掌側の一部に配備されている複数の面状電極であって、それぞれが他の面状電極と連続しない配置形態で前記絶縁性手袋部の掌側に配備されている複数の面状電極と、前記絶縁性手袋部の手の甲側に配備されている一対以上の電極であって、各電極が前記複数の面状電極における各面状電極に対して電気的に接続されている一対以上の電極とを備えている電気施術用手袋。【選択図】図６
2019122761.tif 000002
【特許請求の範囲】
【請求項１】
施術を行う者の手に装着される絶縁性薄膜体からなる絶縁性手袋部と、
前記絶縁性手袋部の掌側の一部に配備されている複数の面状電極であって、それぞれが他の面状電極と連続しない配置形態で前記絶縁性手袋部の掌側に配備されている複数の面状電極と、
前記絶縁性手袋部の手の甲側に配備されている一対以上の電極であって、各電極が前記複数の面状電極における各面状電極に対して電気的に接続されている一対以上の電極と
を備えている電気施術用手袋。
【請求項２】
前記複数の面状電極は、前記絶縁性手袋部の人差し指の掌側と、中指の掌側とに配備されており、
前記一対以上の電極は、前記絶縁性手袋部の人差し指部に対応する手の甲側と、前記絶縁性手袋部の中指部に対応する手の甲側に配備されている
請求項１記載の電気施術用手袋。
【請求項３】
前記複数の面状電極は、前記絶縁性手袋部の親指の掌側と、人差し指の掌側とに配備されており、
前記一対以上の電極は、前記絶縁性手袋部の親指部に対応する手の甲側と、前記絶縁性手袋部の人差し指部に対応する手の甲側に配備されている
請求項１記載の電気施術用手袋。
【請求項４】
前記複数の面状電極は、前記絶縁性手袋部の親指の掌側と、人差し指の掌側と、母指球の掌側とに配備されており、
前記一対以上の電極は、前記絶縁性手袋部の親指部に対応する手の甲側と、前記絶縁性手袋部の母指球部に対応する手の甲側と、前記絶縁性手袋部の人差し指部に対応する手の甲側に配備されている
請求項１記載の電気施術用手袋。
【請求項５】
前記複数の面状電極は、前記絶縁性手袋部の親指の掌側と、人差し指の掌側と、中指の掌側と、薬指の掌側と、小指の掌側とに配備されており、
前記一対以上の電極は、前記絶縁性手袋部の親指部に対応する手の甲側と、前記絶縁性手袋部の人差し指部に対応する手の甲側と、前記絶縁性手袋部の中指部に対応する手の甲側と、前記絶縁性手袋部の薬指部に対応する手の甲側と、前記絶縁性手袋部の小指部に対応する手の甲側に配備されている
請求項１記載の電気施術用手袋。
【請求項６】
前記複数の面状電極は、前記絶縁性手袋部の親指の掌側と、人差し指の掌側と、中指の掌側と、薬指の掌側と、小指の掌側と、母指球の掌側とに配備されており、
前記一対以上の電極は、前記絶縁性手袋部の親指部に対応する手の甲側と、前記絶縁性手袋部の人差し指部に対応する手の甲側と、前記絶縁性手袋部の中指部に対応する手の甲側と、前記絶縁性手袋部の薬指部に対応する手の甲側と、前記絶縁性手袋部の小指部に対応する手の甲側と、前記絶縁性手袋部の母指球部に対応する手の甲側とに配備されている
請求項１記載の電気施術用手袋。
【請求項７】
絶縁性薄膜体からなり、施術を行う者の右手と左手とにそれぞれ装着される一対の指先開放型の絶縁性手袋部と、
前記一対の指先開放型の絶縁性手袋部の掌側にそれぞれ配備されている一対の面状電極と、
前記一対の指先開放型の絶縁性手袋部の甲側にそれぞれ配備されている一対の電極であって、各電極が前記一対の指先開放型の絶縁性手袋部の掌側にそれぞれ配備されている前記面状電極に対して電気的に接続されている一対の電極と
を備えている電気施術用手袋。
【発明の詳細な説明】
【技術分野】
【０００１】
この発明は、人の顔、頭、手、腕、足、首、背中、腰などの部位における筋肉、等に刺激を与える電気施術機器に関する。
【０００２】
特に、施術を行う人がその手に装着して、施術を受ける人の施術箇所（顔、頭、手、腕、足、首、背中、腰など）に接触させながらスライド移動、等させることで行う施術を、施術箇所でスライド移動、等が行われることによる物理的刺激と、同時的に印加される電気的刺激との相乗効果によって効果的に実施できる電気施術用手袋に関する。
【０００３】
なお、本明細書において、人の顔、頭、手、腕、足、首、背中、腰などの部位における筋肉、等に物理的な刺激や、電気的な刺激を与えることを「施術」という。
【背景技術】
【０００４】
従来から施術を受ける人の施術箇所（顔、頭、手、腕、足、首、背中、腰など）に対して、施術機器などを当接させつつ、あるいは、当接させつつスライド移動させると共に電気的刺激を印加することで、施術機器などが施術箇所をスライド移動、等する物理的刺激と、電気的刺激との相乗効果によって施術効果を高めようとする提案は種々行われている。
【０００５】
例えば、特許文献１には、絶縁性薄膜体でなる絶縁性手袋部と、この絶縁性手袋部の掌側に設けられ互いに反対電極が印加される二種類の電極部と、これら二種類の電極部に電気的に接続された一対の電源コネクタとを備えている電気治療器用手袋が電気施術用機器の一例として提案されている。
【０００６】
また、特許文献２には、施術を行う者が手に装着する手袋状の装着体の外面に複数の面状電極を縫着し、これらの面状電極を施術を受ける者の皮膚に接触させ、微弱電流を通電する治療用電極装置が電気施術用機器の一例として提案されている。
【先行技術文献】
【特許文献】
【０００７】
【特許文献１】特開平７−１９４７１１号公報
【特許文献２】特開２０００−１０５５７９号公報
【発明の概要】
【発明が解決しようとする課題】
【０００８】
この発明は、施術を行う人がその手に装着して、施術を受ける人の施術箇所（顔、頭、手、腕、足、首、背中、腰など）に接触させながらスライド移動、等させることで行う施術を、施術箇所でスライド移動、等が行われることによる物理的刺激と、同時的に印加される電気的刺激との相乗効果によって効果的に実施できる電気施術用手袋を提案することを目的にしている。
【課題を解決するための手段】
【０００９】
［１］
施術を行う者の手に装着される絶縁性薄膜体からなる絶縁性手袋部と、
前記絶縁性手袋部の掌側の一部に配備されている複数の面状電極であって、それぞれが他の面状電極と連続しない配置形態で前記絶縁性手袋部の掌側に配備されている複数の面状電極と、
前記絶縁性手袋部の手の甲側に配備されている一対以上の電極であって、各電極が前記複数の面状電極における各面状電極に対して電気的に接続されている一対以上の電極と
を備えている電気施術用手袋。
【００１０】
［２］
前記複数の面状電極は、前記絶縁性手袋部の人差し指の掌側と、中指の掌側とに配備されており、
前記一対以上の電極は、前記絶縁性手袋部の人差し指部に対応する手の甲側と、前記絶縁性手袋部の中指部に対応する手の甲側に配備されている
［１］の電気施術用手袋。
【００１１】
［３］
前記複数の面状電極は、前記絶縁性手袋部の親指の掌側と、人差し指の掌側とに配備されており、
前記一対以上の電極は、前記絶縁性手袋部の親指部に対応する手の甲側と、前記絶縁性手袋部の人差し指部に対応する手の甲側に配備されている
［１］の電気施術用手袋。
【００１２】
［４］
前記複数の面状電極は、前記絶縁性手袋部の親指の掌側と、人差し指の掌側と、母指球の掌側とに配備されており、
前記一対以上の電極は、前記絶縁性手袋部の親指部に対応する手の甲側と、前記絶縁性手袋部の母指球部に対応する手の甲側と、前記絶縁性手袋部の人差し指部に対応する手の甲側に配備されている
［１］の電気施術用手袋。
【００１３】
［５］
前記複数の面状電極は、前記絶縁性手袋部の親指の掌側と、人差し指の掌側と、中指の掌側と、薬指の掌側と、小指の掌側とに配備されており、
前記一対以上の電極は、前記絶縁性手袋部の親指部に対応する手の甲側と、前記絶縁性手袋部の人差し指部に対応する手の甲側と、前記絶縁性手袋部の中指部に対応する手の甲側と、前記絶縁性手袋部の薬指部に対応する手の甲側と、前記絶縁性手袋部の小指部に対応する手の甲側に配備されている
［１］の電気施術用手袋。
【００１４】
［６］
前記複数の面状電極は、前記絶縁性手袋部の親指の掌側と、人差し指の掌側と、中指の掌側と、薬指の掌側と、小指の掌側と、母指球の掌側とに配備されており、
前記一対以上の電極は、前記絶縁性手袋部の親指部に対応する手の甲側と、前記絶縁性手袋部の人差し指部に対応する手の甲側と、前記絶縁性手袋部の中指部に対応する手の甲側と、前記絶縁性手袋部の薬指部に対応する手の甲側と、前記絶縁性手袋部の小指部に対応する手の甲側と、前記絶縁性手袋部の母指球部に対応する手の甲側とに配備されている
［１］の電気施術用手袋。
【００１５】
［７］
絶縁性薄膜体からなり、施術を行う者の右手と左手とにそれぞれ装着される一対の指先開放型の絶縁性手袋部と、
前記一対の指先開放型の絶縁性手袋部の掌側にそれぞれ配備されている一対の面状電極と、
前記一対の指先開放型の絶縁性手袋部の甲側にそれぞれ配備されている一対の電極であって、各電極が前記一対の指先開放型の絶縁性手袋部の掌側にそれぞれ配備されている前記面状電極に対して電気的に接続されている一対の電極と
を備えている電気施術用手袋。
【発明の効果】
【００１６】
この発明によれば、施術を行う人がその手に装着して、施術を受ける人の施術箇所（顔、頭、手、腕、足、首、背中、腰など）に接触させながらスライド移動、等させることで行う施術を、施術箇所でスライド移動、等が行われることによる物理的刺激と、同時的に印加される電気的刺激との相乗効果によって効果的に実施できる電気施術用手袋を提供することができる。
【図面の簡単な説明】
【００１７】
【図１】本発明の一実施形態に係る電気施術用手袋を表すものであって、（ａ）は手の甲側の平面図、（ｂ）は掌側の平面図。
【図２】本発明の他の実施形態に係る電気施術用手袋を表すものであって、（ａ）は手の甲側の平面図、（ｂ）は掌側の平面図。
【図３】本発明の更に他の実施形態に係る電気施術用手袋を表すものであって、（ａ）は手の甲側の平面図、（ｂ）は掌側の平面図。
【図４】本発明の更に他の実施形態に係る電気施術用手袋を表すものであって、（ａ）は手の甲側の平面図、（ｂ）は掌側の平面図。
【図５】本発明の更に他の実施形態に係る電気施術用手袋を表すものであって、（ａ）は手の甲側の平面図、（ｂ）は掌側の平面図。
【図６】本発明の更に他の実施形態に係る電気施術用手袋を構成する、施術者の右手に装着される、指先開放型の絶縁性手袋部を表す図であって、（ａ）は手の甲側の平面図、（ｂ）は掌側の平面図。
【図７】図６図示の実施形態に係る電気施術用手袋を構成する、施術者の左手に装着される、指先開放型の絶縁性手袋部を表す図であって、（ａ）は掌側の平面図、（ｂ）は手の甲側の平面図。
【発明を実施するための形態】
【００１８】
この実施形態の電気施術用手袋は、絶縁性手袋部と、複数の面状電極と、一対以上の電極とを備えている。
【００１９】
前記絶縁性手袋部は、ポリエステル繊維、等の絶縁性を有する合成樹脂製繊維の織布などからなる絶縁性薄膜体（厚さ：０．１５〜０．２ｍｍ）から形成されていて、施術を行う者の手に装着される。
【００２０】
前記面状電極は、銀メッキなどが施されている合成樹脂繊維が、他の合成樹脂製繊維に混紡される、等して形成されているシート状体（厚さ：０．１５〜０．２ｍｍ）である。
【００２１】
このような面状電極の複数枚が、前述した絶縁性手袋部の掌側の一部に、それぞれが他の面状電極と連続しない配置形態で配備されている。
【００２２】
前記一対以上の電極は、前記絶縁性手袋部の手の甲側に配備されている。前記一対以上の電極における各電極は、前記複数の面状電極における各面状電極に対して、それぞれ、電気的に接続されている。
【００２３】
従来公知の電気施術用機器に採用されている従来公知の電気施術用機器用電源装置から前記一対以上の電極における各電極に対して印加が行われる。前記一対の電極を構成する各電極に対しては互いに反対極性が入力される。
【００２４】
前記絶縁性手袋部は絶縁性薄膜体であって、前記の各面状電極は、前記絶縁性手袋部の手の甲側に配備されている前記一対以上の電極における各電極から上述したように、それぞれ印加を受けるが、前記面状電極は、前述した絶縁性手袋部の掌側の一部に配備されていて、しかも、複数枚の面状電極のそれぞれが他の面状電極と連続しない配置形態で配備されているので、各面状電極の間の電気抵抗は１００オーム以上であって、複数枚の面状電極における各面状電極同士の間で通電が起こることはない。
【００２５】
前記一対以上の電極における各一対の電極を構成する各電極に対して、互いに反対極性の入力を行う、従来公知の電気施術用機器に採用されている従来公知の電気施術用機器用電源装置は、例えば、各電極を介した各面状電極への入力のオン／オフ制御、電気施術用機器用電源装置からの出力電圧・出力電流の制御、発信周波数・波形の制御・切り替えを行うことができるものである。例えば、１５〜６５Ｖの範囲での出力電圧の制御、１０〜３０ｍＡの範囲での出力電流の制御、１．０Ｈｚの低周波から１万Ｈｚ程度の中周波の間での発信周波数の制御を行うことができる。
【００２６】
この実施形態では、電気施術用手袋に一対以上の電極が配備されている。そこで、例えば、二対の電極が配備されている場合には、各一対の電極ごとに、他の一対の電極とは異なる出力電圧、出力電流、発信周波数の制御を行うことができる。また、三対の電極が配備されている場合には、各一対の電極ごとに、他の一対の電極とは異なる出力電圧、出力電流、発信周波数の制御を行うことができる。このような制御を行うことが可能なように、電気施術用機器用電源装置は、電気施術用手袋に配備されている一対以上の電極の数に対応した制御・出力調整可能な構成になっている。
【００２７】
以下、添付図面を参照して、上述した実施形態の電気施術用手袋のいくつかの例についてより具体的に説明する。なお、上述した実施形態の説明と共通している部分については、以下では、その説明を省略する。
【００２８】
（実施の形態１）
図１図示の電気施術用手袋３１は、施術者の手の二本の指に装着されて使用されるものである。図１図示の実施形態では、施術者の手の人差し指と中指という２本の指に装着されて使用される、平面視で、Ｖ字状の電気施術用手袋３１になっている。
【００２９】
絶縁性手袋部１２の人差し指部２の掌側に面状電極７、中指部３の掌側に面状電極８が配備されている。
【００３０】
図１図示の実施形態では、人差し指部２の掌側、中指部３の掌側にそれぞれ逢着されている面状電極７、面状電極８は、絶縁性手袋部１２の手の甲側にまで伸びていて、それぞれ、図１図示のように、絶縁性手袋部１２の人差し指部２に対応する手の甲側で終端し、また、絶縁性手袋部１２の中指部３に対応する手の甲側で終端している。
【００３１】
面状電極７、面状電極８は、絶縁性手袋部１２における人差し指部２の掌側、中指部３の掌側にそれぞれ逢着、等することで配置できる。
【００３２】
人差し指部２の掌側に縫着されていて、絶縁性手袋部１２の手の甲側にまで伸びて、絶縁性手袋部１２の人差し指部２に対応する手の甲側で終端している面状電極７の終端に電極１７が取り付けられている。
【００３３】
また、中指部３の掌側に縫着されていて、絶縁性手袋部１２の手の甲側にまで伸びて、絶縁性手袋部１２の中指部３に対応する手の甲側で終端している面状電極８の終端に電極１８が取り付けられている。
【００３４】
電極１７、１８としては、図１図示のようなホック状の電極を採用できる。
【００３５】
電極１７と、電極１８とで、絶縁性手袋部１２の手の甲側に配備されていて、絶縁性手袋部１２の人差し指部３の掌側に配備されている面状電極７、中指部４の掌側に配備されている面状電極８に対してそれぞれ通電する一対の電極が形成されることになる。
【００３６】
すなわち、図１図示の実施形態によれば、絶縁性手袋部１２の手の甲側に配備されている一対以上の電極であって、各電極が複数の面状電極における各面状電極に対して電気的に接続されている一対の電極が、少なくとも１個配備されることになる。
【００３７】
電極１７、電極１８に対しては、上述した、不図示の電気施術用機器用電源装置から互いに反対極性が入力され、面状電極７、８に対する電極１７、電極１８を介した入力のオン／オフ制御、１５〜６５Ｖの範囲での出力電圧の制御、１０〜３０ｍＡの範囲での出力電流の制御、１．０Ｈｚの低周波から１万Ｈｚ程度の中周波の間での発信周波数の制御が行われる。
【００３８】
そこで、絶縁性手袋部１２の人差し指部２の掌側に配備されている面状電極７、中指部３の掌側に配備されている面状電極８に印加する電圧、電流、発信周波数を制御しつつ、施術を受ける人の顔、頭、手、腕、足、首、背中、腰などの施術箇所に面状電極７、８を接触させながらスライド移動させる、所定の強さで押し当てる、押し当てつつスライド移動させる、等による物理的刺激と、同時的に印加される電気的刺激との相乗効果によって効果的に施術を行うことができる。
【００３９】
なお、図１では、施術者の右手の人差し指と中指に装着する電気施術用手袋３１のみを図示しているが、同様の形態、構造で、施術者の左手の人差し指と中指に装着する電気施術用手袋３１を準備し、施術者が、右手の人差し指と中指、左手の人差し指と中指にそれぞれこの実施形態で説明した電気施術用手袋３１を装着して施術を行うことでより効果を高めることができる。
【００４０】
更に、右手の人差し指と中指に装着した電気施術用手袋３１の面状電極７、８に印加する電圧、電流、発信周波数と、左手の人差し指と中指に装着した電気施術用手袋３１の面状電極７、８に印加する電圧、電流、発信周波数とを同一にする、あるいは、異ならせる、等の制御を行うことで、施術効果をより高めることもできる。
【００４１】
（実施の形態２）
図２図示の電気施術用手袋３２は、実施の形態１と同じく、施術者の手の二本の指に装着されて使用されるものである。図２図示の実施形態では、施術者の手の親指と人差し指という２本の指に装着されて使用される、平面視で、Ｖ字状の電気施術用手袋１１になっている。図１図示の実施形態で説明した構造・構成と共通するところには図１と同一の符号をつけて説明している。
【００４２】
絶縁性手袋部１２の人差し指部２の掌側に面状電極７、親指部１の掌側に面状電極６が配備されている。
【００４３】
面状電極７、面状電極６は、絶縁性手袋部１２における人差し指部２の掌側、親指部１の掌側にそれぞれ逢着、等することで配置できる。
【００４４】
図２図示の実施形態では、人差し指部２の掌側、親指部１の掌側にそれぞれ縫着されている面状電極７、面状電極６は、絶縁性手袋部１２の手の甲側にまで伸びていて、それぞれ、図２図示のように、絶縁性手袋部１２の人差し指部２に対応する手の甲側で終端し、また、絶縁性手袋部１２の親指部１に対応する手の甲側で終端している。
【００４５】
人差し指部２の掌側に縫着されていて、絶縁性手袋部１２の手の甲側にまで伸びて、絶縁性手袋部１２の人差し指部２に対応する手の甲側で終端している面状電極７の終端に電極１７が取り付けられている。
【００４６】
また、親指部１の掌側に縫着されていて、絶縁性手袋部１２の手の甲側にまで伸びて、絶縁性手袋部１２の親指部１に対応する手の甲側で終端している面状電極６の終端に電極１６が取り付けられている。
【００４７】
電極１６と、電極１７とで、絶縁性手袋部１２の手の甲側に配備されていて、絶縁性手袋部１２の人差し指部２の掌側に配備されている面状電極７、親指部１の掌側に配備されている面状電極６に対してそれぞれ通電する一対の電極が形成されることになる。
【００４８】
すなわち、図２図示の実施形態によれば、絶縁性手袋部１２の手の甲側に配備されている一対以上の電極であって、各電極が複数の面状電極における各面状電極に対して電気的に接続されている一対の電極が、少なくとも１個配備されることになる。
【００４９】
電極１６、電極１７に対しては、上述した、不図示の電気施術用機器用電源装置から互いに反対極性が入力され、面状電極６、７に対する電極１６、電極１７を介した入力のオン／オフ制御、１５〜６５Ｖの範囲での出力電圧の制御、１０〜３０ｍＡの範囲での出力電流の制御、１．０Ｈｚの低周波から１万Ｈｚ程度の中周波の間での発信周波数の制御が行われる。
【００５０】
そこで、絶縁性手袋部１２の人差し指部２の掌側に配備されている面状電極７、親指部１の掌側に配備されている面状電極６に印加する電圧、電流、発信周波数を制御しつつ、施術を受ける人の顔、頭、手、腕、足、首、背中、腰などの施術箇所に面状電極６、７を接触させながらスライド移動させる、所定の強さで押し当てる、押し当てつつスライド移動させる、等による物理的刺激と、同時的に印加される電気的刺激との相乗効果によって効果的に施術を行うことができる。
【００５１】
なお、図２では、施術者の右手の人差し指と親指に装着する電気施術用手袋３２のみを図示しているが、同様の形態、構造で、施術者の左手の人差し指と親指に装着する電気施術用手袋３２を準備し、施術者が、右手の人差し指と親指、左手の人差し指と親指にそれぞれこの実施形態で説明した電気施術用手袋３２を装着して施術を行うことでより効果を高めることができる。
【００５２】
更に、右手の人差し指と親指に装着した電気施術用手袋３２の面状電極６、７に印加する電圧、電流、発信周波数と、左手の人差し指と親指に装着した電気施術用手袋３２の面状電極６、７に印加する電圧、電流、発信周波数とを同一にする、あるいは、異ならせる、等の制御を行うことで、施術効果をより高めることもできる。
【００５３】
（実施の形態３）
図３図示の電気施術用手袋３３は、図２図示の電気施術用手袋３２の実施形態に更に追加して、手の母指球（手の親指の付け根の位置）の掌側に面状電極１１が配備されているものである。図１、図２図示の実施形態で説明した構造・構成と共通するところには図１、図２と同一の符号をつけて説明している。
【００５４】
母指球（手の親指の付け根の位置）の掌側に縫着されている面状電極１１は、絶縁性手袋部１２の手の甲側にまで伸びていて、図３図示のように、絶縁性手袋部１２の母指球（手の親指の付け根の位置）部に対応する手の甲側で終端している。そして、この面状電極１１の終端に電極２１が取り付けられている。
【００５５】
面状電極１１は、絶縁性手袋部１２における母指球（手の親指の付け根の位置）の掌側に逢着、等することで配置できる。
【００５６】
電極２１と、電極１６、電極１７の中の任意の一対の電極によって、絶縁性手袋部１２の手の甲側に配備されていて、絶縁性手袋部１２の人差し指部２の掌側に配備されている面状電極７、親指部１の掌側に配備されている面状電極６、母指球（手の親指の付け根の位置）部の掌側に配備されている面状電極１１の中の前記任意の一対に対して通電する一対の電極が形成されることになる。
【００５７】
すなわち、図３図示の実施形態によれば、絶縁性手袋部１２の手の甲側に配備されている一対以上の電極であって、各電極が複数の面状電極における各面状電極に対して電気的に接続されている一対の電極が、少なくとも１個配備されることになる。
【００５８】
そして、電極２１と、電極１６、電極１７という３個の電極が存在していることで、一対の電極の組み合わせが、少なくとも３通り（電極２１−電極１６、電極２１−電極１７、電極１６−電極１７）採用可能になる。
【００５９】
電極２１、電極１６、電極１７の中から選択された任意の一対の電極に対して、上述した、不図示の電気施術用機器用電源装置から互いに反対極性が入力され、当該選択された一対の電極を介して対応する一対の面状電極への入力のオン／オフ制御、１５〜６５Ｖの範囲での出力電圧の制御、１０〜３０ｍＡの範囲での出力電流の制御、１．０Ｈｚの低周波から１万Ｈｚ程度の中周波の間での発信周波数の制御が行われる。
【００６０】
そこで、絶縁性手袋部３３の人差し指部２の掌側に配備されている面状電極７、親指部１の掌側に配備されている面状電極６、母指球（手の親指の付け根の位置）部の掌側に配備されている面状電極１１の中から選択した一対の面状電極に印加する電圧、電流、発信周波数を制御しつつ、施術を受ける人の顔、頭、手、腕、足、首、背中、腰などの施術箇所に面状電極１１、６、７を接触させながらスライド移動させる、所定の強さで押し当てる、押し当てつつスライド移動させる、等による物理的刺激と、同時的に印加される電気的刺激との相乗効果によって効果的に施術を行うことができる。
【００６１】
なお、図３では、施術者の右手の人差し指と親指に装着する電気施術用手袋３３のみを図示しているが、同様の形態、構造で、施術者の左手の人差し指と親指に装着する電気施術用手袋３３を準備し、施術者が、右手の人差し指と親指、左手の人差し指と親指にそれぞれこの実施形態で説明した電気施術用手袋３３を装着して施術を行うことでより効果を高めることができる。
【００６２】
更に、右手の人差し指と親指に装着した電気施術用手袋３３の面状電極６、７、１１に印加する電圧、電流、発信周波数と、左手の人差し指と親指に装着した電気施術用手袋３３の面状電極６、７、１１に印加する電圧、電流、発信周波数とを同一にする、あるいは、異ならせる、等の制御を行うことで、施術効果をより高めることもできる。
【００６３】
（実施の形態４）
図４図示の電気施術用手袋３４は、絶縁性手袋部１２の親指部１、人差し指部２、中指部３、薬指部４、小指部５の掌側に、それぞれ、面状電極６、面状電極７、面状電極８、面状電極９、面状電極１０が配備されているものである。図１、図２図示の実施形態で説明した構造・構成と共通するところには図１、図２と同一の符号をつけて説明している。
【００６４】
面状電極６、７、８、９、１０は、絶縁性手袋部１２における親指部１、人差し指部２、中指部３、薬指部４、小指部５の掌側にそれぞれ逢着、等することで配置できる。
【００６５】
絶縁性手袋部１２の親指部１、人差し指部２、中指部３、薬指部４、小指部５の掌側に縫着されている面状電極６、面状電極７、面状電極８、面状電極９、面状電極１０は、それぞれ、絶縁性手袋部１２の手の甲側にまで伸びていて、図４図示のように、絶縁性手袋部１２の親指部１に対応する手の甲側で終端し、絶縁性手袋部１２の人差し指部２に対応する手の甲側で終端し、絶縁性手袋部１２の中指部３に対応する手の甲側で終端し、絶縁性手袋部１２の薬指部４に対応する手の甲側で終端し、絶縁性手袋部１２の小指部５に対応する手の甲側で終端している。
【００６６】
そして、面状電極６の終端に電極１６、面状電極７の終端に電極１７、面状電極８８終端に電極１８、面状電極９の終端に電極１９、面状電極１０の終端に電極２０がそれぞれ取り付けられている。
【００６７】
電極１６、１７、１８、１９、２０の中から選択される任意の一対の電極によって、絶縁性手袋部１２の手の甲側に配備されていて、当該一対の電極から印加を受ける一対の面状電極に対してそれぞれ通電する一対の電極が形成されることになる。
【００６８】
例えば、親指部１の掌側に配備されている面状電極６に通電する電極１６と、小指部５の掌側に配備されている面状電極１０に通電する電極２０とで一対の電極が形成され、人差し指部２の掌側に配備されている面状電極７に通電する電極１７と、薬指部４の掌側に配備されている面状電極９に通電する電極１９とで一対の電極が形成される。
【００６９】
すなわち、図４図示の実施形態によれば、絶縁性手袋部１２の手の甲側に配備されている一対以上の電極であって、各電極が複数の面状電極における各面状電極に対して電気的に接続されている一対の電極が、少なくとも２個、配備されることになる。
【００７０】
そして、電極１６、１７、１８、１９、２０という５個の電極が存在していることで、一対の電極の組み合わせを少なくとも２個同時に作ることができ、一対の異なる電極の組み合わせを、任意に、多数形成することが可能になる。
【００７１】
任意に選択された各一対の電極に対しては、上述した、不図示の電気施術用機器用電源装置から互いに反対極性が入力され、当該電極に対応している一対の面状電極に対する入力のオン／オフ制御、１５〜６５Ｖの範囲での出力電圧の制御、１０〜３０ｍＡの範囲での出力電流の制御、１．０Ｈｚの低周波から１万Ｈｚ程度の中周波の間での発信周波数の制御が行われる。
【００７２】
上述した電気施術用機器用電源装置の機能により、少なくとも２個配備される一対の電極ごとに、他の一対の電極とは異なる出力電圧、出力電流、発信周波数の制御を行うことができる。
【００７３】
そこで、絶縁性手袋部１２の選択した一対の電極に印加する電圧、電流、発信周波数を制御しつつ、施術を受ける人の顔、頭、手、腕、足、首、背中、腰などの施術箇所に面状電極６、７、８、９、１０を接触させながらスライド移動させる、所定の強さで押し当てる、押し当てつつスライド移動させる、等による物理的刺激と、同時的に印加される電気的刺激との相乗効果によって効果的に施術を行うことができる。
【００７４】
上述したように、一対の異なる電極の組み合わせを複数形成することが可能なので、より複雑な調整、制御を行いながら効果的な施術を行うことができる。
【００７５】
なお、図４では、施術者の右手の５本の指に装着する電気施術用手袋３４のみを図示しているが、同様の形態、構造で、施術者の左手の５本の指に装着する電気施術用手袋３４を準備し、施術者が、右手の５本の指と、左手の５本の指にそれぞれこの実施形態で説明した電気施術用手袋３４を装着して施術を行うことでより効果を高めることができる。
【００７６】
更に、選択する一対の電極の組み合わせを任意に変更する、選択した右手の電気施術用手袋３４の電極に印加する電圧、電流、発信周波数と、選択した左手の電気施術用手袋３４の電極に印加する電圧、電流、発信周波数とを同一にする、あるいは、異ならせる、等の制御を行うことで、施術効果をより高めることもできる。
【００７７】
（実施の形態５）
図５図示の電気施術用手袋３５は、図４を用いて説明した実施の形態４の電気施術用手袋３４に、図３を用いて説明した実施の形態３の電気施術用手袋３３が備えていた、手の母指球（手の親指の付け根の位置）部の掌側に面状電極１２が配備されているものである。図１、図２、図３、図４図示の実施形態で説明した構造・構成と共通するところには図１、図２、図３、図４と同一の符号をつけて説明している。
【００７８】
絶縁性手袋部１２の親指部１、母指球（手の親指の付け根の位置）部、人差し指部２、中指部３、薬指部４、小指部５の掌側に、それぞれ、面状電極６、面状電極１１、面状電極７、面状電極８、面状電極９、面状電極１０が縫着されて配備されている。
【００７９】
面状電極６、１１、８、９、１０は、絶縁性手袋部１２における親指部１、母指球（手の親指の付け根の位置）部、人差し指部２、中指部３、薬指部４、小指部５の掌側にそれぞれ逢着、等することで配置できる。
【００８０】
絶縁性手袋部１２の親指部１、母指球（手の親指の付け根の位置）部、人差し指部２、中指部３、薬指部４、小指部５の掌側に縫着されている面状電極６、面状電極１１、面状電極７、面状電極８、面状電極９、面状電極１０は、それぞれ、絶縁性手袋部１２の手の甲側にまで伸びていて、図５図示のように、絶縁性手袋部１２の親指部１に対応する手の甲側で終端し、絶縁性手袋部１２の母指球（手の親指の付け根の位置）部に対応する手の甲側で終端し、絶縁性手袋部１２の人差し指部２に対応する手の甲側で終端し、絶縁性手袋部１２の中指部３に対応する手の甲側で終端し、絶縁性手袋部１２の薬指部４に対応する手の甲側で終端し、絶縁性手袋部１２の小指部５に対応する手の甲側で終端している。
【００８１】
そして、面状電極６の終端に電極１６、面状電極１１の終端に電極２１、面状電極７の終端に電極１７、面状電極８の終端に電極１８、面状電極９の終端に電極１９、面状電極１０の終端に電極２０がそれぞれ取り付けられている。
【００８２】
６個の電極１６、１７、１８、１９、２０、２１の中から選択される任意の一対の電極によって、絶縁性手袋部１２の手の甲側に配備されていて、当該一対の電極から印加を受ける一対の面状電極に対してそれぞれ通電する一対の電極が形成されることになる。
【００８３】
例えば、母指球（手の親指の付け根の位置）部の掌側に配備されている面状電極１１通電する電極２１と、小指部５の掌側に配備されている面状電極１０に通電する電極２０とで一対の電極が形成され、親指部１の掌側に配備されている面状電極６に通電する電極１６と、中指部３の掌側に配備されている面状電極８に通電する電極１８とで一対の電極が形成され、人差し指部２の掌側に配備されている面状電極７に通電する電極１７と、薬指４の掌側に配備されている面状電極９に通電する電極１９とで一対の電極が形成される。
【００８４】
すなわち、図５図示の実施形態によれば、絶縁性手袋部１２の手の甲側に配備されている一対以上の電極であって、各電極が複数の面状電極における各面状電極に対して電気的に接続されている一対の電極が、少なくとも３個配備されることになる。
【００８５】
そして、電極１６、１７、１８、１９、２０、２１という６個の電極が存在していることで、一対の電極の組み合わせを少なくとも３個同時に作ることができ、一対の異なる電極の組み合わせを、任意に、多数形成することが可能になる。
【００８６】
任意に選択された各一対の電極に対しては、上述した、不図示の電気施術用機器用電源装置から互いに反対極性が入力され、当該電極に対応している一対の面状電極に対する入力のオン／オフ制御、１５〜６５Ｖの範囲での出力電圧の制御、１０〜３０ｍＡの範囲での出力電流の制御、１．０Ｈｚの低周波から１万Ｈｚ程度の中周波の間での発信周波数の制御が行われる。
【００８７】
上述した電気施術用機器用電源装置の機能により、少なくとも３個配備される一対の電極ごとに、他の一対の電極とは異なる出力電圧、出力電流、発信周波数の制御を行うことができる。
【００８８】
すなわち、任意に選択された、少なくとも３対の電極に対して、同時に、入力のオン／オフ制御、１５〜６５Ｖの範囲での出力電圧の制御、１０〜３０ｍＡの範囲での出力電流の制御、１．０Ｈｚの低周波から１万Ｈｚ程度の中周波の間での発信周波数の制御が行われる。
【００８９】
そこで、絶縁性手袋部１２の選択した一対の電極に印加する電圧、電流、発信周波数を制御しつつ、施術を受ける人の顔、頭、手、腕、足、首、背中、腰などの施術箇所に面状電極６、７、８、９、１０、１１を接触させながらスライド移動させる、所定の強さで押し当てる、押し当てつつスライド移動させる、等による物理的刺激と、同時的に印加される電気的刺激との相乗効果によって効果的に施術を行うことができる。
【００９０】
上述したように、一対の異なる電極の組み合わせを複数形成することが可能なので、より複雑な調整、制御を行いながら効果的な施術を行うことができる。
【００９１】
なお、図５では、施術者の右手の５本の指に装着する電気施術用手袋３５のみを図示しているが、同様の形態、構造で、施術者の左手の５本の指に装着する電気施術用手袋３５を準備し、施術者が、右手の５本の指と、左手の５本の指にそれぞれこの実施形態で説明した電気施術用手袋３５を装着して施術を行うことでより効果を高めることができる。
【００９２】
更に、選択する一対の電極の組み合わせを任意に変更する、選択した右手の電気施術用手袋３５の電極に印加する電圧、電流、発信周波数と、選択した左手の電気施術用手袋３５の電極に印加する電圧、電流、発信周波数とを同一にする、あるいは、異ならせる、等の制御を行うことで、施術効果をより高めることもできる。
【００９３】
（実施の形態６）
図６、図７図示の実施形態は、施術を行う者の右手と左手とにそれぞれ装着される一対の指先開放型の絶縁性手袋部３６ａ、３６ｂによって構成される電気施術用手袋を説明するものである。
【００９４】
この実施形態では、図６図示の指先開放型の絶縁性手袋部３６ａが施術を行う者の右手に装着され。図７図示の指先開放型の絶縁性手袋部３６ｂが施術を行う者の左手に装着される。
【００９５】
指先開放型の絶縁性手袋部３６ａ、３６ｂは、実施の形態１〜５で説明したものと同じく絶縁性薄膜体からなる。
【００９６】
図６図示の絶縁性手袋部３６ａは指先開放型であるので、手首通し部分４５ａだけでなく、親指通し部分４０ａ、人差し指通し部分４１ａ、中指通し部分４２ａ、薬指通し部分４３ａ、小指通し部分４４ａを備えている。施術を行う者の右手に装着されると、施術を行う者の右手の甲の部分と、掌の部分を覆って、施術を行う者の右手の親指、人差し指、中指、薬指、小指が、それぞれ、親指通し部分４０ａ、人差し指通し部分４１ａ、中指通し部分４２ａ、薬指通し部分４３ａ、小指通し部分４４ａから突き出るようになる。
【００９７】
図７図示の絶縁性手袋部３６ｂも指先開放型であるので、手首通し部分４５ｂだけでなく、親指通し部分４０ｂ、人差し指通し部分４１ｂ、中指通し部分４２ｂ、薬指通し部分４３ｂ、小指通し部分４４ｂを備えている。施術を行う者の左手に装着されると、施術を行う者の左手の甲の部分と、掌の部分を覆って、施術を行う者の左手の親指、人差し指、中指、薬指、小指が、それぞれ、親指通し部分４０ｂ、人差し指通し部分４１ｂ、中指通し部分４２ｂ、薬指通し部分４３ｂ、小指通し部分４４ｂから突き出るようになる。
【００９８】
図６（ｂ）図示のように、施術を行う者の右手に装着される指先開放型の絶縁性手袋部３６ａの掌部（５本の指部分を含めない手掌（しゅしょう）部）の全体に面状電極４６ａが縫着されている。この面状電極４６ａは、絶縁性手袋部３６ａの手の甲側にまで伸びて、手の甲側で終端している。面状電極４６ａの手の甲側の終端に電極４７ａが取り付けられ、当該電極４７ａと、面状電極４６ａとが電気的に接続されている（図６）。
【００９９】
面状電極４６ａは、絶縁性手袋部３６ａの掌部（５本の指部分を含めない手掌（しゅしょう）部）の全体）の全体に逢着、等することで配置できる。
【０１００】
また、絶縁性手袋部３６ａの掌部（５本の指部分を含めない手掌（しゅしょう）部）の全体に面状電極４６ａを逢着した上で、更に、この上に、厚さ０．１５〜０．２ｍｍ程度の薄膜体（例えば、布部材）が逢着、等によって積層されている形態にすることもできる。絶縁性手袋部３６ａの掌部（５本の指部分を含めない手掌（しゅしょう）部）の全体）の全体と、厚さ０．１５〜０．２ｍｍ程度の薄膜体（例えば、布部材）との間に面状電極４６ａが挟み込まれている形態のサンドイッチ構造である。この場合には、絶縁性手袋部３６ａの掌部（５本の指部分を含めない手掌（しゅしょう）部）の全体を、施術を受ける者の人体表面に当接させるときに、面状電極４６ａと人体表面との間に厚さ０．１５〜０．２ｍｍ程度の薄膜体（例えば、布部材）が介在することになる。
【０１０１】
前述した厚さ０．１５〜０．２ｍｍ程度の薄膜体（例えば、布部材）が導電性を有しないものである場合には、従来から低周波施術機器を用いて人体に施術を行う際に施術を受ける人体に塗布して用いられているジェルを前述した厚さ０．１５〜０．２ｍｍ程度の薄膜体（例えば、布部材）に含浸することで導電性を発揮させて使用することができる。
【０１０２】
従来から低周波施術機器を用いて施術を行う際、施術を受ける人体にジェルを塗布しておくことにより、低周波施術機器における導子電極の人体への接触が当該ジェルを介して行われるようにしていた。
【０１０３】
このジェルを前述した厚さ０．１５〜０．２ｍｍ程度の薄膜体（例えば、布部材）に含浸することで導電性を発揮させるものである。
【０１０４】
図７（ａ）図示のように、施術を行う者の左手に装着される指先開放型の絶縁性手袋部３６ｂの掌部（５本の指部分を含めない手掌（しゅしょう）部）の全体に面状電極４６ｂが縫着されている。この面状電極４６ｂは、絶縁性手袋部３６ｂの手の甲側にまで伸びて、手の甲側で終端している。面状電極４６ｂの手の甲側の終端に電極４７ｂが取り付けられ、当該電極４７ｂと、面状電極４６ｂとが電気的に接続されている（図７）。
【０１０５】
面状電極４６ｂは、絶縁性手袋部３６ｂの掌部（５本の指部分を含めない手掌（しゅしょう）部）の全体に逢着、等することで配置できる。
【０１０６】
また、絶縁性手袋部３６ｂの掌部（５本の指部分を含めない手掌（しゅしょう）部）の全体に面状電極４６ｂを逢着した上で更にこの上に、厚さ０．１５〜０．２ｍｍ程度の薄膜体（例えば、布部材）が逢着、等によって積層されている形態にすることもできる。絶縁性手袋部３６ｂの掌部（５本の指部分を含めない手掌（しゅしょう）部）の全体）の全体と、厚さ０．１５〜０．２ｍｍ程度の薄膜体（例えば、布部材）との間に面状電極４６ｂが挟み込まれている形態のサンドイッチ構造である。この場合には、絶縁性手袋部３６ｂの掌部（５本の指部分を含めない手掌（しゅしょう）部）の全体を、施術を受ける者の人体表面に当接させるときに、面状電極４６ｂと人体表面との間に厚さ０．１５〜０．２ｍｍ程度の薄膜体（例えば、布部材）が介在することになる。
【０１０７】
前述した厚さ０．１５〜０．２ｍｍ程度の薄膜体（例えば、布部材）が導電性を有しないものである場合には、従来から低周波施術機器を用いて人体に施術を行う際に施術を受ける人体に塗布して用いられているジェルを前述した厚さ０．１５〜０．２ｍｍ程度の薄膜体（例えば、布部材）に含浸することで導電性を発揮させて使用することができる。
【０１０８】
従来から低周波施術機器を用いて施術を行う際、施術を受ける人体にジェルを塗布しておくことにより、低周波施術機器における導子電極の人体への接触が当該ジェルを介して行われるようにしていた。
【０１０９】
このジェルを前述した厚さ０．１５〜０．２ｍｍ程度の薄膜体（例えば、布部材）に含浸することで導電性を発揮させるものである。
【０１１０】
施術を行う者の右手と左手とにそれぞれ装着される一対の指先開放型の絶縁性手袋部３６ａ、３６ｂのそれぞれの掌部（５本の指部分を含めない手掌（しゅしょう）部）の全体に前記のようにして配備されている面状電極４６ａ（図６（ｂ））と、面状電極４６ｂ（図７（ａ））とが対になっている。
【０１１１】
また、一対の面状電極４６ａ、４６ｂの手の甲側の終端部に上述したようにして配備されている電極４７ａと、電極４７ｂとが対になっている。
【０１１２】
電極４７ａ、４７ｂとしては、図１等の実施形態で説明したように、ホック状の電極を採用できる。
【０１１３】
電極４７ａと、電極４７ｂとで、施術を行う者の右手と左手とにそれぞれ装着される一対の指先開放型の絶縁性手袋部３６ａ、３６ｂそれぞれの掌部（５本の指部分を含めない手掌（しゅしょう）部）全体に配備されている面状電極４６ａ、４６ｂに対してそれぞれ通電する一対の電極が形成されることになる。
【０１１４】
すなわち、図６、図７図示の実施形態によれば、施術を行う者の右手と左手とにそれぞれ装着される一対の指先開放型の絶縁性手袋部３６ａ、３６ｂの手の甲側に配備されている一対以上の電極であって、各電極が、前記一対の指先開放型の絶縁性手袋部３６ａ、３６ｂの各面状電極に対して電気的に接続されている一対の電極が、少なくとも１個配備されることになる。
【０１１５】
電極４７ａ、電極４７ｂに対しては、上述した、不図示の電気施術用機器用電源装置から互いに反対極性が入力され、面状電極４６ａ、４６ｂに対する電極４７ａ、電極４７ｂを介した入力のオン／オフ制御、１５〜６５Ｖの範囲での出力電圧の制御、１０〜３０ｍＡの範囲での出力電流の制御、１．０Ｈｚの低周波から１万Ｈｚ程度の中周波の間での発信周波数の制御が行われる。
【０１１６】
施術を行う者の右手と左手とにそれぞれ指先開放型の絶縁性手袋部３６ａ、３６ｂを装着し、不図示の電気施術用機器用電源装置から電極４７ａ、電極４７ｂに入力を行う配線を行った後、止め紐４９ａ、４９ｂで電気施術用機器用電源装置から電極４７ａ、電極４７ｂにつながる電源コードをおさえる。
【０１１７】
止め紐４９ａ、４９ｂは表面５０の先端側に係止部（例えば、面ファスナー）５２、裏面５１の基端側に係止部（例えば、面ファスナー）５３を備えている。そこで、施術を行う者の右手と左手とにそれぞれ指先開放型の絶縁性手袋部３６ａ、３６ｂを装着し、不図示の電気施術用機器用電源装置から電極４７ａ、電極４７ｂに入力を行う配線を行った後、止め紐４９ａ、４９ｂで電源コードをおさえながら、施術を行う者の手首を巻くように止め紐４９ａ、４９ｂを施術を行う者の手首の周りに回し、係止部５２、５３を互いに係止させることで、電源コードをおさえることができる。
【０１１８】
施術を行う者の右手と左手とにそれぞれ装着される一対の指先開放型の絶縁性手袋部３６ａ、３６ｂそれぞれの掌部（５本の指部分を含めない手掌（しゅしょう）部）全体に配備されている面状電極４６ａ、４６ｂに印加する電圧、電流、発信周波数を制御しつつ、施術を受ける人の顔、頭、手、腕、足、首、背中、腰などの施術箇所に面状電極４６ａ、４６ｂを接触させながらスライド移動させる、所定の強さで押し当てる、押し当てつつスライド移動させる、等による物理的刺激と、同時的に印加される電気的刺激との相乗効果によって効果的に施術を行うことができる。
【０１１９】
この実施形態では、施術を行う者の右手と左手とにそれぞれ装着される一対の指先開放型の絶縁性手袋部３６ａ、３６ｂによって電気施術用手袋が構成されているので、施術を行う者は、右手、左手の各指を親指通し部分４０ａ、４０ｂ、人差し指通し部分４１ａ、４１ｂ、中指通し部分４２ａ、４２ｂ、薬指通し部分４３ａ、４３ｂ、小指通し部分４４ａ、４４ｂから突き出している状態で、右手、左手の掌部（５本の指部分を含めない手掌（しゅしょう）部）全体を施術を受ける人の施術箇所にあて、面状電極４６ａ、４６ｂを接触させながら、あるいは、面状電極４６ａ、４６ｂの上に積層されている厚さ０．１５〜０．２ｍｍ程度の薄膜体（例えば、布部材）や、当該薄膜体（例えば、布部材）に従来から低周波施術機器を用いて施術を行う際に施術を受ける人体に塗布して使用しているジェルを含浸させたものを接触させながらスライド移動させる、所定の強さで押し当てる、押し当てつつスライド移動させる、等による物理的刺激と、同時的に印加される電気的刺激との相乗効果によって効果的に施術を行うことができる。
【０１２０】
右手、左手の掌部（５本の指部分を含めない手掌（しゅしょう）部）には、各指の関節部分に相当するものが存在していない。そこで、右手、左手の掌部（５本の指部分を含めない手掌（しゅしょう）部）の全体で、面状電極４６ａ、４６ｂを接触させながら、あるいは、面状電極４６ａ、４６ｂの上に積層されている厚さ０．１５〜０．２ｍｍ程度の薄膜体（例えば、布部材）や、当該薄膜体（例えば、布部材）に従来から低周波施術機器を用いて施術を行う際に施術を受ける人体に塗布して使用しているジェルを含浸させたものを接触させながらスライド移動させる、所定の強さで押し当てる、押し当てつつスライド移動させると、施術を受けている者は関節部の存在による違和感を感じることなく、全体的に、柔らかで、おだやかな施術を受けることができ、施術の効果を高めることができる。
【０１２１】
面状電極４６ａ、４６ｂの上に導電性を有しない厚さ０．１５〜０．２ｍｍ程度の薄膜体（例えば、布部材）を積層し、これに、従来から低周波施術機器を用いて施術を行う際に施術を受ける人体に塗布して使用しているジェルを含浸させることで導電性を確保する実施形態の場合、面状電極４６ａ、４６ｂが、施術を受ける人体の表面に、直接、接触することが無くなる。
【０１２２】
そこで、面状電極４６ａ、４６ｂが、施術を受ける人体の表面に、直接、接触することによって生じる可能性があるアレルギー、例えば、金属アレルギーなどが施術を受ける者の体に発生することを未然に防止できる。
【０１２３】
以上、添付図面を参照してこの発明の好ましい実施形態を説明したが、本発明は上述した実施形態に限られず、特許請求の範囲の記載から把握される技術的範囲において種々に変更可能である。
【０１２４】
例えば、上述した実施形態では、施術を行う者の手に装着される絶縁性手袋部は、ポリエステル繊維、等の絶縁性を有する合成樹脂製繊維の織布などからなる絶縁性薄膜体（厚さ：０．１５〜０．２ｍｍ）から形成されている例で説明した。
【０１２５】
これに替えて、施術を行う者の手（手の中の複数本の指）に装着して施術を受ける者の施術箇所（顔、頭、手、腕、足、首、背中、腰など）に接触させる、接触させつつスライドさせる、等に適した材質で、絶縁性を有するもので絶縁性手袋部を形成することができる。
【０１２６】
また、上述した実施形態では、面状電極として、銀メッキなどが施されている合成樹脂繊維が、他の合成樹脂製繊維に混紡される、等して形成されている、絶縁性手袋部に縫着される、シート状体（厚さ：０．１５〜０．２ｍｍ）の例で説明した。
【０１２７】
これに替えて、必用な通電性を有し、施術を受ける者の施術箇所（顔、頭、手、腕、足、首、背中、腰など）に接触させる、接触させつつスライドさせる、等に適した材質で面状電極を形成することもできる。
【０１２８】
実施の形態１〜実施の形態５において、実施の形態６で説明したように、面状電極６、７、８、９、１０の上に、更に、厚さ０．１５〜０．２ｍｍ程度の薄膜体（例えば、布部材）が逢着、等によって積層されている形態にすることもできる。絶縁性手袋部と、厚さ０．１５〜０．２ｍｍ程度の薄膜体（例えば、布部材）との間に面状電極６、７、８、９、１０が挟み込まれている形態のサンドイッチ構造である。この場合には、施術を行う際に、面状電極６、７、８、９、１０と施術を受ける人体表面との間に厚さ０．１５〜０．２ｍｍ程度の薄膜体（例えば、布部材）が介在することになる。
【０１２９】
前述した厚さ０．１５〜０．２ｍｍ程度の薄膜体（例えば、布部材）が導電性を有しないものである場合には、従来から低周波施術機器を用いて人体に施術を行う際に施術を受ける人体に塗布して用いられているジェルを前述した厚さ０．１５〜０．２ｍｍ程度の薄膜体（例えば、布部材）に含浸することで導電性を発揮させて使用することができる。
【０１３０】
このようにすることで、実施の形態１〜５においても、面状電極６、７、８、９、１０の上に導電性を有しない厚さ０．１５〜０．２ｍｍ程度の薄膜体（例えば、布部材）を積層し、これに、従来から低周波施術機器を用いて施術を行う際に施術を受ける人体に塗布して使用しているジェルを含浸させることで導電性を確保すると、面状電極６、７、８、９、１０が、施術を受ける人体の表面に、直接、接触することが無くなる。
【０１３１】
そこで、面状電極６、７、８、９、１０が、施術を受ける人体の表面に、直接、接触することによって生じる可能性があるアレルギー、例えば、金属アレルギーなどが施術を受ける者の体に発生することを未然に防止できる。
【符号の説明】
【０１３２】
１  親指部
２  人差し指部
３  中指部
４  薬指部
５  小指部
６、７、８、９、１０、１１  面状電極
１２  絶縁性手袋部
１６、１７、１８、１９、２０、２１  電極
３１、３２、３３、３４、３５  電気施術用手袋
３６ａ  施術を行う者の右手に装着される指先開放型の絶縁性手袋部
３６ｂ  施術を行う者の左手に装着される指先開放型の絶縁性手袋部
４０ａ、４０ｂ  親指通し部分
４１ａ、４１ｂ  人差し指通し部分
４２ａ、４２ｂ  中指通し部分
４３ａ、４３ｂ  薬指通し部分
４４ａ、４４ｂ  小指通し部分
４５ａ、４５ｂ  手首通し部分
４６ａ、４６ｂ  面状電極
４７ａ、４７ｂ  電極
【図１】
2019122761.tif 000003
【図２】
2019122761.tif 000004
【図３】
2019122761.tif 000005
【図４】
2019122761.tif 000006
【図５】
2019122761.tif 000007
【図６】
2019122761.tif 000008
【図７】
2019122761.tif 000009